(57)【要約】      （修正有）【課題】マンホール蓋受枠設置工事でのモルタル打設工事において、硬化前のモルタルの漏出を効果的に防止できるモルタル漏出防止用治具を提供する。【解決手段】モルタル漏出防止用治具１は、帯状鋼板を環状に曲げてなる円環１０と、円環１０の内側に設けたパンタグラフ式ねじジャッキ構造の拡縮器２０とからなり、円環１０の両端近傍に拡縮器２０の各拡縮端部２１を固定して円環２０の直径を拡縮可能とし、さらに、水平部が円環１０の外側に突出する高さ調節可能な略逆さＬ字型のハンドル１２を円環１０の内側の少なくとも３か所に設けたことを特徴とする。【選択図】図７
0003207911.tif 000002
【実用新案登録請求の範囲】
【請求項１】
マンホール蓋の受枠を下桝上端に設置するモルタル打設工に用いるモルタル漏出防止用治具であって、
直径を拡縮可能な円環と、円環の内側に設けた拡縮器とからなることを特徴とする、モルタル漏出防止用治具。
【請求項２】
前記円環は帯状鋼板を環状に曲げてなり、前記拡縮器はパンタグラフ式ねじジャッキであって、前記拡縮器の各拡縮端部に前記帯状鋼板の両端をそれぞれ固定してなることを特徴とする、請求項１に記載のモルタル漏出防止用治具。
【請求項３】
水平部が円環の外側に突出する高さ調節可能な略逆さＬ字型のハンドルを前記円環の内側の少なくとも３か所に設けたことを特徴とする、請求項１または請求項２のいずれかに記載のモルタル漏出防止用治具。
【考案の詳細な説明】
【技術分野】
【０００１】
本考案は、マンホール蓋のリング状の受枠を下桝上端に設置するモルタル打設工程において、硬化前のモルタル漏出を防止するための治具に関する。
【背景技術】
【０００２】
一般的なマンホールは、図１の断面略図に示す如く、地中に埋設施工したコンクリート製の下桝の上端開口部にマンホール蓋を載置する受枠を設置固定している。下桝の構造は概ね規格化されており、その上端開口部は原則として水平であるが、マンホール蓋を道路等の地表のレベルや傾斜角度に適合させるために、受枠は複数の高さ調整ボルトによって必要な傾斜角を付けて下桝上端面に取り付けられる。そして、受枠と下桝上端面との間の空間にモルタルを充填し、養生硬化させることで下桝に受枠が設置固定される。その後、下桝周囲の埋め戻し及び舗装を行い、受枠のリング部のみが舗装面に露出する形となる。
【０００３】
図２は、普及している受枠の一例の略図であり、図３は下桝上端面への受枠の取り付け箇所の一例を拡大した断面略図である。図３中のＧ１は舗装面、Ｇ２は受枠の設置位置、Ｇ３は下桝の上端面を示しており、Ｇ１とＧ２の間は舗装材により埋設される。また、Ｇ２とＧ３の間は必要に応じて調整ボルトにより高さが調整され、充填されたモルタルが硬化することで受枠への荷重を支承する。また、モルタルは受枠に設けた複数の孔のうち、高さ調整ボルトを設置しない空いた穴から充填される。
【０００４】
近年は、受枠の構造や形状、高さ調整ボルトの改良が進むとともに、モルタル自体も高流動性、超早強性、無収縮性の製品が普及している。高流動性により、充填時に小さな隙間にも容易に流れ込んで均一な充填が可能となる。超早強性により、硬化時間が短くなり、圧縮強度が向上する。無収縮性により、セメントと細骨材（砂）を水で練り混ぜた従来のモルタルのような硬化後の収縮がなくなるため、受枠と下桝の間に隙間が生じず、密着性が高まる。
【０００５】
ところで、モルタルの充填打設は、図４乃至図６に示すごとく、受枠の高さ調整後に受枠と下桝との間の高さ調整空間の内外両側面を帯状のウレタンフォームで密閉して行い、モルタルの硬化後にウレタンフォームを除去する。この際、外フォームについては、高さ調整空間の外周に巻き付けた後粘着テープで固定し、さらにベルトによって外周面を緊縛できるため硬化前のモルタルの漏出は十分に防止できる。しかし、内フォームについては、図４に示すごとくウレタン自らの弾性によって高さ調整空間の内周面に密着するものの、十分に圧着されるわけではない。前述のとおり高流動性のモルタルは充填時に小さな隙間にも容易に浸透するため、図６の（４）図に示すごとく、モルタル自体の重量により柔らかい内フォームの下端にたわみが生じ、下桝内壁との隙間からモルタルが漏出しやすいという問題があった。
【非特許文献１】日之出水道機器株式会社ホームページ＞プロダクト情報＞「ハイジャスター（登録商標）」＞製品特徴  ＵＲＬ：http://www.hinodesuido.co.jp/solution/city/productinformation/sewer/sewerhj.html
【０００６】
モルタルの漏出により硬化後に高さ調整空間に空洞を生じると受枠の耐荷重強度が低下し、モルタルや舗装材の破損を生じる等、経年劣化を早めることとなる。そのため、施工者はこれまで、受枠内側に木材や竹材等のつっかい棒を嵌め込んで内フォームの内側面を支える等、応急的対策を講じてモルタルの漏出を防ごうと試みてきたが、漏出を完全に防止することは困難であった。
【考案の開示】
【考案が解決しようとする課題】
【０００７】
本考案は、前記の点を鑑みて創作されたものであり、マンホール蓋受枠設置工事でのモルタル打設工事において、硬化前のモルタルの漏出を効果的に防止できるモルタル漏出防止用治具を提供することを課題とする。
【課題を解決するための手段】
【０００８】
上記の課題を解決するために、請求項１に記載した考案は、直径を拡縮可能な円環と、円環の内側に設けた拡縮器とからなることを特徴とする。ベルト等で緊縛固定が可能な外フォームとは異なり、内フォームは受枠と下桝との間の高さ調整空間にウレタン自体の弾性のみで密着するため、モルタルの重量によって下端に隙間が生じ易いことが漏出の原因である。本考案の構成によれば、内フォームの内側全周に当接させた円環の直径を拡縮器により拡張し、内フォームの下端を下桝内壁に均一に密着させることで、効果的にモルタルの漏出を防止できる。また、モルタルの硬化後は、拡縮器で円環の直径を収縮させれば容易に撤去できる。
【０００９】
また、請求項２に記載した考案は、請求項１に記載したモルタル漏出防止用治具であって、円環を帯状鋼板を環状に曲げたもの、拡縮器をパンタグラフ式ねじジャッキとして、拡縮器の各拡縮端部に前記帯状鋼板の両端をそれぞれ固定したことを特徴とする。円環としては、拡張時に内フォーム内面に深く食い込み過ぎない程度の幅の帯状鋼板が適当であるが、素材は必ずしも鋼に限定されない。拡縮器としてのパンタグラフ式ねじジャッキは、自動車に搭載される簡易な手動式タイヤ交換用ジャッキと同様の構造で、本来は上下方向に拡縮するものを水平方向に拡縮するように適用する。油圧方式や電動方式も適用可能だが、マンホール内の狭隘な作業空間で使用すること、拡張完了まで落下しないよう保持する必要があることを考慮すれば、可能な限り軽量で嵩張らない本考案の構成が好適である。
【００１０】
さらに、請求項３に記載した考案は、請求項１または請求項２に記載したモルタル漏出防止用治具において、水平部が円環の外側に突出する高さ調節可能な略逆さＬ字型のハンドルを円環の内側の少なくとも３か所に設けたことを特徴とする。ハンドルは、モルタル漏出防止用治具の運搬やマンホール内への設置時の取り扱いの利便性を高めるとともに、円環の外側に突出する略逆さＬ字型の水平部を受枠の上面に引っ掛けることで、作業者が保持していなくても拡張前や収縮後の円環がマンホール内に落下することを防止できる。また、ハンドルは高さ調節可能に構成しているため、予め受枠上面から円環を内フォーム内面に密着させる位置までの距離に合わせてハンドルの高さを設定して固定しておくことで、円環を受枠内に投入後直ちに拡縮器で円環を拡張させて内フォームを固定できる。
【考案の効果】
【００１１】
本考案に係るモルタル漏出防止用治具によれば、マンホール蓋受枠設置工事でのモルタル打設工事において、充填した硬化前のモルタルが内フォームと下桝内壁との隙間から漏出することを効果的に防止できる。極めて簡易な構造で廉価に製造可能であり、円環の拡張・収縮も拡縮器のねじを手動で回転させるだけで可能なため、特段の技能や経験も必要としない。さらに、マンホール内でつっかい棒等を使用しないため、本治具を適用中であってもマンホールへ内への人の出入りの障害とならない。
【考案を実施するための最良の形態】
【００１２】
以下、本考案の実施形態について図を用いて説明する。図７は、本考案の実施形態に係るモルタル漏出防止用治具の構成を示す斜視図、図８は同平面図、図９は同側面図、図１０はモルタル漏出防止用治具の適用状態を示す側面図である。モルタル漏出防止用治具１は、帯状鋼板を環状に曲げてなる円環１０と、拡縮器２０と、３つの略逆さＬ字型のハンドル１２とから構成される。拡縮器２０はパンタグラフ式ねじジャッキであり、その各拡縮端部２１に円環１０の両端をそれぞれ固定している。円環１０の帯状鋼板の両端は接続せずに一部を重ねており、拡縮器２０上端の回転部２２をバール等によって手動で回転させることにより拡縮端部２１が水平方向に拡張すると重なり部１１が開いて円環１０の直径が拡張する。また、ハンドル１２は、円環１０の内側面に設けた円管状のハンドル取付部１３に垂直部を挿入し、留めねじ１４により任意の高さで固定可能としている。
【００１３】
施工時には、調整ボルトによる受枠の高さ調整の終了後、受枠と下桝との間の高さ調整空間の内外両側面を内フォーム、外フォームで覆い、外フォームは従来どおりに粘着テープやベルトで固定する。一方、モルタル漏出防止用治具１のハンドル１２を、あらかじめ計測しておいた受枠上面から円環を内フォーム内面に密着させる位置までの距離に合わせた高さに留めねじ１４で固定する。その際、ハンドル１２の水平部は円環１０の外側に向けて突出する位置で固定する。
【００１４】
次に、ハンドル１２を持って円環１０を受枠に挿入し、受枠の縁の上面にハンドル１２を引っ掛ける形でモルタル漏出防止用治具１を載置することにより、円環１０は適切な位置に保持される。その上で、回転部２２をバール等で回転させて円環１０を内フォームに当接させ、さらに内フォームが下桝内壁に適度に密着するまで円環１０の直径を拡張する。
その後は、従来どおりモルタルを充填して硬化させる。硬化後は、回転部２２を逆回転して円環１０の直径を収縮させ、ハンドル１２を持って受枠からモルタル漏出防止用治具１を取り外し、内外のウレタンフォームを除去し工程が完了する。
【００１５】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００１６】
本考案に係るモルタル漏出防止用治具は、マンホール工事におけるモルタル充填打設工において利用可能であり、ウレタンフォームを用いたモルタル硬化の養生作業の効率化と工事品質の向上に資するものである。
【図面の簡単な説明】
【００１７】
【図１】一般的なマンホールの構造を示す断面略図である。
【図２】一般的に普及しているマンホール蓋の受枠の一例の略図である。
【図３】下桝上端面への受枠の取り付け箇所の一例を拡大した断面略図である。
【図４】内外のウレタンフォームと受枠への内フォームの取付方法を示す略図である。
【図５】内外フォーム取付後のモルタルの充填方法を示す略図である。
【図６】従来技術での作業工程におけるモルタルの漏出を示す断面略図である。
【図７】実施形態に係るモルタル漏出防止用治具の構成を示す斜視図である。
【図８】実施形態に係るモルタル漏出防止用治具の平面図である。
【図９】実施形態に係るモルタル漏出防止用治具の側面図である。
【図１０】実施形態に係るモルタル漏出防止用治具の適用状態を示す側面図である。
【符号の説明】
【００１８】
１           モルタル漏出防止用治具
１０    円環
１１       重なり部
１２       ハンドル  
１３       ハンドル取付部
１４    留めねじ
２０    拡縮器
２１       拡縮端部
２２    回転部
２３    ジャッキねじ
【図１】
0003207911.tif 000003
【図２】
0003207911.tif 000004
【図３】
0003207911.tif 000005
【図４】
0003207911.tif 000006
【図５】
0003207911.tif 000007
【図６】
0003207911.tif 000008
【図７】
0003207911.tif 000009
【図８】
0003207911.tif 000010
【図９】
0003207911.tif 000011
【図１０】
0003207911.tif 000012